(57)【要約】【課題】  簡素で快適な、そして、簡単で迅速な方法で組み立てられる数を削減した構成要素で構成した、傾けられる背もたれを有する椅子を提供する。【解決手段】  椅子は、シート（１４）および背もたれ（１６）を支える支持構造体（１２）からなり、背もたれ（１６）は、耐荷部（６２）および前記背もたれ（１６）を支持構造体（１２）に接続するための接続部（６６）からなり、前記背もたれ（１６）は、ユーザが与えた後方への押圧力を受けて静止位置に対して後方に傾斜でき、前記後方への押圧力が中断したときに静止位置に弾性的に復帰する。  背もたれ（１６）の後方への傾斜は、部分的に耐荷部（６２）の弾性変形と、部分的に接続部（６６）の少なくとも一部分の前記支持構造体（１２）に対する移動とによって形成する。【選択図】図１
2005205210.tif 000002
【特許請求の範囲】
【請求項１】
シート（１４）および背もたれ（１６）を支える支持構造体（１２）からなり、前記背もたれ（１６）は、耐荷部（６２）および前記背もたれ（１６）を前記支持構造体（１２）に接続するための接続部（６６）からなり、前記背もたれ（１６）は、ユーザが与えた後方への押圧力を受けて静止位置に対して後方に傾斜でき、前記後方への押圧力が中断したときに静止位置に弾性的に復帰する椅子であって、
前記背もたれ（１６）の後方への傾斜は、部分的に前記耐荷部（６２）の弾性変形と、部分的に前記接続部（６６）の少なくとも一部分の前記支持構造体（１２）に対する移動とによって形成することを特徴とする椅子。
【請求項２】
前記背もたれ（１６）の前記耐荷部（６２）は、２つの隣接する背もたれ区分（８８，９０，９２）の間の相対的な弾性変形を可能にする少なくとも１つの弱体化部分（８６）が設けられていることを特徴とする請求項１に記載の椅子。
【請求項３】
前記弱体化部分（８６）は、前記背もたれ（１６）の耐荷面（６４）に伸びる線の形状を有することを特徴とする請求項２に記載の椅子。
【請求項４】
前記弱体化部分（８６）は、少なくとも１つの貫通した細長い隙間からなることを特徴とする請求項２に記載の椅子。
【請求項５】
前記弱体化部分（８６）は、少なくとも１つの厚みを減じた細長い溝からなることを特徴とする請求項２に記載の椅子。
【請求項６】
前記弱体化部分（８６）は、前記背もたれ（１６）の前記耐荷面（６４）のほぼ全長にわたって延伸することを特徴とする請求項３に記載の椅子。
【請求項７】
前記背もたれ（１６）の前記耐荷面（６４）は、前記弱体化部分（８６）が横断しない中央部（１２４）を有することを特徴とする請求項３に記載の椅子。
【請求項８】
複数の相互に平行な弱体化部分（８６）を有することを特徴とする請求項３に記載の椅子。
【請求項９】
前記背もたれ（１６）の前記耐荷部（６２）は、垂直な母線を有するアーチ型の耐荷面（６４）を有することを特徴とする請求項１に記載の椅子。
【請求項１０】
前記接続部は、前記支持構造体（１２）に対して揺動可能に取り付けられ、弾性手段（７６）と協働する２つの接続部材（６６）からなり、
前記弾性部材（７６）は、前記背もたれ（１６）を前記静止位置に向かって押圧することを特徴とする請求項１に記載の椅子。
【請求項１１】
前記接続部材（６６）は、それぞれ、前記支持構造体（１２）に対して固定され、前記弾性手段（７６）を収容する箱体（２８）の中に収容した反発部（７０）を有することを特徴とする請求項１０に記載の椅子。
【請求項１２】
前記接続部は、支持構造体（１２）に対して固定された固定部（１１２）をそれぞれ有する２つの接続部材（６６）からなり、
前記接続部材（６６）は、それぞれ弾性屈曲部（１１４）を有することを特徴とする請求項１に記載の椅子。
【発明の詳細な説明】
【技術分野】
【０００１】
本発明は、ユーザが与えた後方への押圧力を受けて後方に傾けられる背もたれ付きの椅子に関する。
【背景技術】
【０００２】
背もたれを後方に傾けられ、ユーザが与える後方への押圧力が中断したとき、弾性的に静止位置に戻る非常に多くの種類の椅子が公知である。
【発明の開示】
【発明が解決しようとする課題】
【０００３】
本発明の課題は、簡素で快適な、そして、簡単で迅速な方法で組み立てられる数を削減した構成要素で構成した、傾けられる背もたれを有する椅子を提供することである。
【課題を解決するための手段】
【０００４】
本発明によれば、前記課題は、シートおよび背もたれを支える支持構造体からなり、前記背もたれは、耐荷部および前記背もたれを前記支持構造体に接続するための接続部からなり、前記背もたれは、ユーザが与えた後方への押圧力を受けて静止位置に対して後方に傾斜でき、前記後方への押圧力が中断したときに静止位置に弾性的に復帰する椅子であって、前記背もたれの後方への傾斜は、部分的に前記耐荷部の弾性変形と、部分的に前記接続部の少なくとも一部分の前記支持構造体に対する移動とによって形成するという特徴を有する椅子によって達成される。
【発明を実施するための最良の形態】
【０００５】
本発明による椅子の特徴と利点は、以下に、純粋に非限定的例として提供した添付図を参照して行う詳細な説明により容易に明らかになる。
【０００６】
図１を参照すると、符号１０は本発明による椅子の第１実施形態の斜視図を指す。椅子１０は、シート１４および背もたれ１６を支える支持構造体１２を有する。支持構造体１２は、椅子１０の両側に、ほぼ逆さまにしたＵ字型で、上部２０と前脚を形成する前方傾斜枝部２２と後脚を形成する後方傾斜枝部２４とを有する金属製の支持体１８からなる。
【０００７】
特に図４を参照すると、支持構造体１２は、２つの横断部材２６を有し、横断部材２６の端部は、例えば溶接によって、椅子１０の前脚２２および後脚２４を形成する屈曲した支持体１８に固定されている。
【０００８】
図４を参照すると、さらに、支持構造体１２は、椅子１０の両側に、横断部材２６の端部の間に固定した箱体２８を有する。図に示した実施形態において、箱体２８は、ほぼ溝型の断面形状を有する折り曲げた金属板で作られ、基礎となる支持構造体１２に固定したベース部材３０からなる。例えば、ベース部材３０は、溶接によって２つの横断部材２６に固定できる。箱体２８は、閉塞した箱型構造を形成するような方法で、ベース部材３０に固定され、ベース部材３０の開放した上側を閉塞する位置にある閉塞部材３２を有する。
【０００９】
ベース部材３０は、外側の側壁３４、底壁３６および内側の側壁３８を有し、内側の側壁３８は、垂直な軸を有する穴４２が設けられた屈曲縁部４０を有する。２つの側壁３４，３８は、直線上に並んだ水平な軸を有する２つの穴４４が設けられている。
【００１０】
閉塞部材３２は、ベース部材３０の底壁３６に対向する壁４６を有する。壁４６は、ベース部材３０の底壁３６に形成した２つの穴５０と直線上に並んだ２つの穴４８を有する。壁４６は、ベース部材３０の屈曲縁部４０の近くに位置する屈曲縁部５２を有する。閉塞部材３２は、屈曲縁部４０，５２の直線上に並んだ穴５０，４８を貫通して延伸し、それぞれナット５６に係合するネジ５４によってベース部材３０に固定されている。
【００１１】
シート１４は、好ましくは、樹脂材料で作られ、射出成形され、支持構造体１２に固定した一体的な構成要素で構成される。図１から４に示す例では、シート１４は、２つの箱体２８の屈曲縁部４０，５２に、例えば、屈曲縁部４０，５２の穴およびシート１４の下面に一体に形成した係合座６０を貫通して延伸するセルフタッピングネジ５８によって固定されている。代案として、シート１４は、支持構造体１２の異なる構成要素に、例えば横断部材２６に固定できる。さらなる代案として、シート１４は、基礎となる支持構造体１２に対して移動可能にできる。例えば、シート１４は、基礎となる支持構造体１２に対して横断方向の軸周りに揺動可能にできる。
【００１２】
背もたれ１６は、好ましくは射出成形した樹脂材料で構成された、ユーザの背中を支持する非平面の耐荷面６４を有する耐荷部６２を有する。背もたれ１６は、背もたれ１６の耐荷部６２を支持構造体１２に接続する接続部を構成する接続部材６６を有する。
【００１３】
各接続部材６６は、一体的な本体で形成され、好ましくは金属材料で、例えば、鉄、アルミニウムまたは軽量合金で構成される。各接続部材６６は、ステム６８を有し、ステム６８は、関節ピボットピン７２に対して後方に延伸し、２つの接続部材６６が背もたれ１６の耐荷部６２に対して固定されるように耐荷部６２の対応する側方の座に僅かに干渉するように圧入されている。
【００１４】
特に図４を参照すると、各接続部材６６は、関節ピボットピン７２に対して前方に延伸し、対応する箱体２８の中に収容された反発部７０を有する。反発部７０は、側壁３４，３８の穴４４および反発部７０の穴７４に係合するピボットピン７２よって、横断方向の軸周りにベース部材３０に対して関節で繋がれている。
【００１５】
各接続部材６６は、静止位置に背もたれ１６を保持しようとし、背もたれ１６の耐荷面６４に接するユーザが与えた後方への押圧力と対称をなす弾性手段の動作に従う。例示の手段として図に示した実施形態において、弾性手段は、閉塞部材３２と反発部７０との間に挟み込んだ２つの螺旋巻き圧縮ばね７６によって形成されている。ばね７６はそれぞれ反発部７０の座７８の中に収容され、前記座７８の底壁に当接して荷重に耐える。好ましくは、ばね７６の中に、閉塞部材３２の壁４６とベース部材３０の底壁３６との間に固定したピボットピン７９がそれぞれ延伸する。ピボットピン７９は、壁４６の穴４８を貫通し、底壁３６の穴５０を貫通して延伸するネジ８０によって拘束される。図３に示すように、ピボットピン７９は、反発部７０の座７８の底壁に形成した穴８２を遊びを有しながら貫通して延伸する。
【００１６】
図４に示すように、また、各接続部材６６は、その下面に切欠き８４を有しており、切欠き８４は、後側の横断部材２６に接して、接続部材６６の後方への揺動の終端を形成する。
【００１７】
図１から３を参照すると、背もたれ１６の耐荷面６４は、垂直な母線を有するアーチ型の形状を有する。この形状の背もたれ１６は、実質的に横断方向の軸に対して変形し難い。耐荷面６４は、１つ以上の弱体化部分８６を有しており、弱体化部分８６の目的は、背もたれ１６の耐荷部６２を弾性変形しやすくすることである。図示した例において、弱体化部分８６は、耐荷面６４を貫いて横断方向に延伸する。しかしながら、弱体化部分８６は、横断方向と異なる向きを有することができる。
【００１８】
１つまたはそれぞれの弱体化部分８６は、貫通した切り込み（細長い隙間）または耐荷部６２の残りの部分に比べて厚みを減じた溝によって構成できる。図中に示した例において、背もたれ１６の耐荷部６２は、３つの相互に平行な弱体化部分８６を有し、各弱体化部分８６は、背もたれ１６の側方の端部を除いて、ほぼ耐荷面６４の全幅にわたって延伸する横断方向の線状に形成されている。弱体化部分８６の数は、当然に、用途によって変化する。
【００１９】
３つの弱体化部分８６は、背もたれ１６の耐荷部６２を、下部８８と２つの中間部９０と上部９２との４つの背もたれ区分に細分化する。各弱体化部分８６は、隣接する背もたれ区分８８，９０，９２の間の相対的な傾斜を可能にするヒンジを形成する。各弱体化部分８６は、ユーザが与えた後方への押圧力の作用で、耐荷部６２が、図２において一点鎖線で示したごとく、同じ図面に実線で示した変形しない配置に対して全体が変形可能なように耐荷部６２の弾性変形を可能にする。耐荷部６２上の後方への押圧力が中断したとき、背もたれ区分８８，９０，９２は、材料の弾性的復原により変形していない配置に復帰する。
【００２０】
各弱体化部分８６は、元来、隣接する背もたれ区分８８，９０，９２の間の相対的な傾斜の最大角度を制限する制動機能を有している。図２に示すように、隣接する背もたれ区分８８，９０，９２の間の相対的な傾斜の最大角度は、各弱体化部分８６の後端が互いに接触する状態で定められる。それ故、各弱体化部分８６の高さは、隣接する背もたれ区分８８，９０，９２の間の後方への傾斜の最大角度を定める。
【００２１】
使用に際し、背もたれ１６は、ユーザが与えた押圧力の作用で後方に傾斜することができる。背もたれ１６の後方への傾斜の一部分は、接続部材６６の、ピボットピン７２の軸周りの支持構造体１２に対する揺動によるものである。背もたれ１６の後方への傾斜動作の他の部分は、背もたれ１６の耐荷部６２の変形によるものである。接続部材６６の揺動は、ばね７６の動作により生じ、一方、耐荷部６２の変形は材料の弾性により生じる。実際的な実施形態において、背もたれ１６の傾斜動作の２つの要素は、ほぼ同じ大きさを有し、例えば、接続部材６６の後方への傾斜は、約９°の背もたれ１６の傾斜を許容し、背もたれ区分８８，９０，９２の相対的な傾斜による変形は、さらに約９°の傾斜を許容する。これら２つの動作の組合せ（背もたれ１６の傾斜および背もたれ１６の耐荷部６２の変形）は、ユーザにとって快適な理想的状態を得ることを可能にする。
【００２２】
図５から１０は、本発明による椅子の第２実施形態を示す。先に説明したものに対応する細部は同じ参照番号によって示されている。
【００２３】
本発明のこの変形において、背もたれ１６の接続部材６６は、先に説明した形態のように支持構造体１２に対して揺動可能である代わりに、背もたれ１６の他の部分と一体に形成され、支持構造体１２に固定されている。接続部材６６は、弾性的に折れ曲がり、その一部分の弾性変形の効果によって背もたれ１６の傾斜を可能にする。
【００２４】
特に図１０を参照すると、椅子１０の支持構造体１２は、対応する支持体１８の上部２０にそれぞれの端部で固定された２つの横断部材２６を有する。図示した例において、横断部材２６は、各支持体１８の上部２０の穴１０２を貫通して延伸して横断部材２６の端部に形成したねじ穴１０４に係合する水平なネジ１００によって支持体１８に固定されている。
【００２５】
再び図１０を参照すると、支持構造体１２は、椅子１０の両側に、例えば溶接によって、横断部材２６に固定した支持部材１０６を有する。シート１４は支持体１０６にネジ１０８によって固定されている。
【００２６】
背もたれ１６は、耐荷面６４の両側に、相対的に堅い直立部１１０が、好ましくは樹脂材料のモールディングによって耐荷面６４の他の部分と一体的な形状で設けられている。各直立部１１０は、ほぼＬ字型に前方に曲がった、背もたれ１６を支持構造体１２に接続する接続部材６６を形成する下側一体部分を有する。
【００２７】
特に図１０を参照すると、各接続部材６６は、弾性屈曲部１１４により対応する直立部１１０に接続された水平な固定部１１２を有する。各接続部材６６の水平な固定部１１２は、対応する支持体１８の上部２０に固定されている。好ましくは、前記固定は、水平な固定部１１２の穴１１８および支持体１８の上部２０の穴１２０に係合する一対の水平なピボットピン１１６によってなされる（図９も参照）。
【００２８】
図６に示すように、各接続部材６６の弾性屈曲部１１４は、背もたれ１６にユーザが与えた後方への押圧力の作用によるそれぞれの直立部１１０の後方への傾斜を可能にする。弾性屈曲部１１４は、後側の横断部材２６に対して拘束するように接触して背もたれ１６の後方への傾斜の可動範囲を制限する下面１２２を有する。
【００２９】
先に説明した実施形態のように、背もたれ１６の耐荷部６２は、図６に一点鎖線で示すごとく、耐荷面６４の弾性変形を可能にする弱体化部分８６が設けられている。図５に示すように、この第２実施形態において、弱体化部分８６は、背もたれ１６の中央部分で途切れて弱体化部分８６に横切られない支持面６４の中央部１２４を残す複数の横断方向の線により形成されている。このやり方によってユーザが与えた後方への押圧力の作用で背もたれ１６の耐荷部６２が変形する特徴は、先に説明したのと同じである。弱体化部分８６を欠如させた中央部１２４の存在は、耐荷部６２を堅くする。
【００３０】
図１および５から、椅子１０の構造により同じ型の複数の椅子を垂直に重ね合わせることができることは明らかである。背もたれ１６の後方への傾斜を可能にする手段は、垂直方向の嵩が非常に小さく、決して椅子の垂直な重ね合わせを制限しない。
【図面の簡単な説明】
【００３１】
【図１】本発明による椅子の第１実施形態の斜視図。
【図２】図１の椅子の部分側面および部分断面図。
【図３】図１のIII−III線による部分断面図。
【図４】図１の矢印IVで示す部分の分解斜視図。
【図５】本発明による椅子の第２実施形態の斜視図。
【図６】図５の椅子の部分側面図。
【図７】図５の矢印VIIによって部分的に切断した部分平面図。
【図８】図７のVIII−VIII線による部分断面図。
【図９】図７のIX−IX線による部分断面図。
【図１０】図５の矢印Ｘで示した部分の分解斜視図。
【符号の説明】
【００３２】
１０  椅子
１２  支持構造体
１４  シート
１６  背もたれ
６２  耐荷部
６４  耐荷面
６６  接続部材（接続部）
７０  反発部
７６  ばね（弾性手段）
８６  弱体化部分
８８  下部（背もたれ区分）
９０  中間部（背もたれ区分）
９２  上部（背もたれ区分）
１１２  固定部
１１４  弾性屈曲部
１２４  中央部
【図１】
2005205210.tif 000003
【図２】
2005205210.tif 000004
【図３】
2005205210.tif 000005
【図４】
2005205210.tif 000006
【図５】
2005205210.tif 000007
【図６】
2005205210.tif 000008
【図７】
2005205210.tif 000009
【図８】
2005205210.tif 000010
【図９】
2005205210.tif 000011
【図１０】
2005205210.tif 000012